(57)【要約】【課題】空気清浄機において、防虫ネットにより通過が阻止された虫やその死骸が吸入通路内に残ることなく除去できるようにする。【解決手段】空気清浄機のファン２６に空気を導入する吸入通路Ｃ１に着脱可能に設けられて吸入通路の一部を形成する筒状部材３０に、防虫ネットＮを設ける。筒状部材は吸入通路を通る空気が通過する開口３３を側面に形成したものとし、この開口が開閉されるように吸入通路に連通して形成された挿入穴１９ａに摺動可能に嵌合し、防虫ネットは開口に設けるのがよい。筒状部材は先端部の外側面にロック用突起３４を形成した円筒状とし、挿入穴の内面には円周方向に沿った扇形切欠き３７を形成し、この扇形切欠きの円周方向一端から壁板１９の表面に達する第１切欠き３６を形成し、筒状部材はロック用突起を第１切欠きから扇形切欠き内に入れ、回動した状態で摺動開閉可能に取り付ける。【選択図】    図２
2004162955.tif 000002
【特許請求の範囲】
【請求項１】
ファンと、空気吸入口から吸入される空気を前記ファンに導く吸入通路と、前記ファンから吐出される空気を吹き出し口に導く吐出通路と、前記吸入通路と吐出通路の少なくとも何れか一方にフィルタを設けてなる空気清浄機において、前記吸入通路にその一部を形成するように筒状部材を着脱可能に配設し、前記筒状部材に内部に入った虫などの異物の通過を阻止する防虫ネットを設けたことを特徴とする空気清浄機。
【請求項２】
請求項１に記載の空気清浄機において、前記吸入通路に連通する挿入穴を形成し、前記筒状部材には前記吸入通路を通る空気が通過する開口を形成するとともにこの開口に前記防虫ネットを配設し、前記筒状部材は前記開口が開閉されるように前記挿入穴に摺動可能に嵌合したことを特徴とする空気清浄機。
【請求項３】
請求項１または請求項２に記載の空気清浄機において、前記筒状部材は先端部の外側面にロック用突起を突出して形成した円筒状とし、前記筒状部材を挿入する挿入穴の内面には同挿入穴が設けられる前記吸入通路の壁板の表面から多少入った位置に円周方向に沿った扇形切欠きを形成するとともにこの扇形切欠きの円周方向一端から前記壁板の表面に達する第１切欠きを形成し、前記筒状部材を、前記ロック用突起が前記第１切欠きを通って前記扇形切欠き内に入り円周方向に移動して同扇形切欠きの円周方向他端に達した角度位置において、前記開口が前記挿入穴より外にあって開いた位置と前記挿入穴内に入って閉じられる位置との間で移動可能としたことを特徴とする空気清浄機。
【請求項４】
請求項１または請求項２に記載の空気清浄機において、前記筒状部材は先端部の外側面にロック用突起を突出して形成した円筒状とし、前記筒状部材を挿入する挿入穴の内面には同挿入穴が設けられる前記吸入通路の壁板の表面から多少入った位置に円周方向に沿った扇形切欠きを形成するとともにこの扇形切欠きの円周方向一端から前記壁板の表面に達する第１切欠きを形成し、さらに前記挿入穴の内面には前記第１切欠きと異なる角度位置に前記壁板の表面に開放される第２切欠きを形成するとともに前記筒状部材の外側面には軸線方向に沿って案内用突起を形成し、前記筒状部材を、前記ロック用突起が前記第１切欠きを通って前記扇形切欠き内に入り円周方向に移動して同扇形切欠きの円周方向他端に達した角度位置において、前記開口が前記挿入穴より外にあって開いた位置と前記挿入穴内に入って閉じられる位置との間で移動可能とし、さらに前記案内用突起は、前記前記ロック用突起が前記第１切欠きを通って前記扇形切欠き内に入った状態では先端が前記壁板の表面に当接し、次いで前記ロック用突起が前記扇形切欠き内を円周方向に移動して同扇形切欠きの円周方向他端に達した角度位置では前記第２切欠きと整列され、次いで前記開口が開いた位置と閉じられる位置との間で前記筒状部材が移動する際には、前記第２切欠き内を通って移動するよう構成したことを特徴とする空気清浄機。
【請求項５】
請求項１〜請求項４の何れか１項に記載の空気清浄機において、前記空気清浄機は建物などの壁の内側に取り付け、前記防虫ネットを設けた筒状部材は、前記壁により形成される室内から着脱可能に前記吸入通路に取り付けたことを特徴とする空気清浄機。
【発明の詳細な説明】
【０００１】
【発明の属する技術分野】
本発明は空気清浄機、特に建物などの壁に取り付けて使用するのに適した小形でコンパクトな空気清浄機に関する。
【０００２】
【従来の技術】
この種の空気清浄機には、室内空気吸引口からの室内空気と室外空気吸引口からの室外空気をファンを備えた空気清浄部に吸入して、空気吹き出し口から室内に吹き出すものがあり、このような室外空気吸引通路に室外空気の吸入と停止を切り替える換気切替弁を設けたものもある（特許文献１）。また、市販のこの種の空気清浄機には、室外空気を吸入する換気運転の際に虫などの異物が室内に侵入するのを防ぐために、取り外し可能な防虫ネットを室外空気吸入通路に設けたものもあるが、その構造を記載した文献は見当たらない。
【０００３】
【特許文献１】
特開平１１−２３０４２公報（図１、図２、図１０）。
【０００４】
【発明が解決しようとする課題】
上述した従来技術の空気清浄機では、防虫ネットに付着した虫などは防虫ネットを取り外して除去することは可能であるが、ケーシング内の吸入通路などに残った虫やその死骸を取り除くことは手間がかかりまた困難であり、取り除けなかった虫の死骸などが不快な悪臭の発生源になるという問題がある。また防虫ネットと換気切替弁とは別々の部品であるので、この両方を備えた空気清浄機は部品点数が多くなり製造コストが上昇するという問題もある。
【０００５】
本発明は防虫ネットを含む関連部分の構造に工夫を加え、また防虫ネットと換気切替弁と結合することにより、空気清浄機におけるこのような各問題を解決することを目的とする。
【０００６】
【課題を解決するための手段】
このために、本発明による空気清浄機は、ファンと、空気吸入口から吸入される空気をファンに導く吸入通路と、ファンから吐出される空気を吹き出し口に導く吐出通路と、吸入通路と吐出通路の少なくとも何れか一方にフィルタを設けてなる空気清浄機において、吸入通路にその一部を形成するように筒状部材を着脱可能に配設し、この筒状部材に内部に入った虫などの異物の通過を阻止する防虫ネットを設けたことを特徴とするものである。
【０００７】
前項に記載の空気清浄機は、吸入通路に連通する挿入穴を形成し、筒状部材には吸入通路を通る空気が通過する開口を形成するとともにこの開口に防虫ネットを配設し、筒状部材は開口が開閉されるように挿入穴に摺動可能に嵌合することが好ましい。
【０００８】
前２項に記載の空気清浄機の筒状部材は先端部の外側面にロック用突起を突出して形成した円筒状とし、筒状部材を挿入する挿入穴の内面には同挿入穴が設けられる吸入通路の壁板の表面から多少入った位置に円周方向に沿った扇形切欠きを形成するとともにこの扇形切欠きの円周方向一端から吸入通路の壁板の表面に達する第１切欠きを形成し、筒状部材は、ロック用突起が第１切欠きを通って扇形切欠き内に入り円周方向に移動して扇形切欠きの円周方向他端に達した角度位置において、開口が挿入穴より外にあって開いた位置と挿入穴内に入って閉じられる位置との間で移動可能とすることが好ましい。
【０００９】
また第１項および第２項に記載の空気清浄機の筒状部材は先端部の外側面にロック用突起を突出して形成した円筒状とし、筒状部材を挿入する挿入穴の内面には同挿入穴が設けられる吸入通路の壁板の表面から多少入った位置に円周方向に沿った扇形切欠きを形成するとともにこの扇形切欠きの円周方向一端から壁板の表面に達する第１切欠きを形成し、さらに挿入穴の内面には第１切欠きと異なる角度位置に吸入通路の壁板の表面に開放される第２切欠きを形成するとともに筒状部材の外側面には軸線方向に沿って案内用突起を形成し、筒状部材を、ロック用突起が第１切欠きを通って扇形切欠き内に入り円周方向に移動して同扇形切欠きの円周方向他端に達した角度位置において、開口が挿入穴より外にあって開いた位置と挿入穴内に入って閉じられる位置との間で移動可能とし、さらに案内用突起は、ロック用突起が第１切欠きを通って扇形切欠き内に入った状態では先端が吸入通路の壁板の表面に当接し、次いでロック用突起が扇形切欠き内を円周方向に移動して同扇形切欠きの円周方向他端に達した角度位置では第２切欠きと整列され、次いで開口が開いた位置と閉じられる位置との間で筒状部材が移動する際には、第２切欠き内を通って移動するよう構成することが好ましい。
【００１０】
前４項に記載の空気清浄機は建物などの壁の内側に取り付け、防虫ネットを設けた筒状部材は、壁により形成される室内から取り出せるように吸入通路に着脱可能に取り付けることが好ましい。
【００１１】
【発明の作用および効果】
上述のように、本発明によれば、吸入通路にその一部を形成するように筒状部材を着脱可能に配設し、この筒状部材に内部に入った虫などの異物の通過を阻止する防虫ネットを設けたので、防虫ネットにより通過が阻止された虫やその死骸などの異物は大部分が筒状部材内に溜まる。従って虫やその死骸などは筒状部材を取り外せば大部分がこれと同時に取り出され、ケーシング内の吸入通路などに残ることはない。このように簡単な手間で虫やその死骸などを取り除くことができるので、取り除けなかった虫の死骸などによる不快な悪臭の発生を防止することができる。
【００１２】
前項に記載の空気清浄機は、吸入通路に連通する挿入穴を形成し、筒状部材には吸入通路を通る空気が通過する開口を形成するとともにこの開口に防虫ネットを配設し、筒状部材は開口が開閉されるように挿入穴に摺動可能に嵌合した空気清浄機によれば、防虫ネットを支持する筒状部材の側面に形成されて吸入通路を通る空気が通過する開口は、吸入通路に連通する挿入穴に摺動可能に嵌合されることにより開閉される。このように筒状部材は１個で防虫ネットの支持部材および吸入通路を開閉する換気切替弁の２つの機能を兼ね備えているので、本発明の空気清浄機は防虫ネットおよび換気切替弁の２つの機能を備えているにもかかわらず部品点数が少なくなり、製造コストを低下させることができる。
【００１３】
筒状部材は先端部の外側面にロック用突起を突出して形成した円筒状とし、筒状部材を挿入する挿入穴の内面には同挿入穴が設けられる吸入通路の壁板の表面から多少入った位置に円周方向に沿った扇形切欠きを形成するとともにこの扇形切欠きの円周方向一端から吸入通路の壁板の表面に達する第１切欠きを形成し、筒状部材は、ロック用突起が第１切欠きを通って扇形切欠き内に入り円周方向に移動して扇形切欠きの円周方向他端に達した角度位置において、開口が挿入穴より外にあって開いた位置と挿入穴内に入って閉じられる位置との間で移動可能とした空気清浄機によれば、ロック用突起が扇形切欠き内に入り円周方向に移動して円周方向他端に達した角度位置では、筒状部材は開口が開いた位置と閉じられた位置の間で移動可能であるが、この角度位置には第１切欠きは設けられていないので開口を充分開いた状態ではロック用突起が壁板の裏面に当たり、筒状部材がそれ以上移動することはない。従って開口を開く操作の際に筒状部材が不用意に外れたりするおそれはない。
【００１４】
また筒状部材は先端部の外側面にロック用突起を突出して形成した円筒状とし、筒状部材を挿入する挿入穴の内面には同挿入穴が設けられる吸入通路の壁板の表面から多少入った位置に円周方向に沿った扇形切欠きを形成するとともにこの扇形切欠きの円周方向一端から壁板の表面に達する第１切欠きを形成し、さらに挿入穴の内面には第１切欠きと異なる角度位置に吸入通路の壁板の表面に開放される第２切欠きを形成するとともに筒状部材の外側面には軸線方向に沿って案内用突起を形成し、筒状部材を、ロック用突起が第１切欠きを通って扇形切欠き内に入り円周方向に移動して同扇形切欠きの円周方向他端に達した角度位置において、開口が挿入穴より外にあって開いた位置と挿入穴内に入って閉じられる位置との間で移動可能とし、さらに案内用突起は、ロック用突起が第１切欠きを通って扇形切欠き内に入った状態では先端が吸入通路の壁板の表面に当接し、次いでロック用突起が扇形切欠き内を円周方向に移動して同扇形切欠きの円周方向他端に達した角度位置では第２切欠きと整列され、次いで開口が開いた位置と閉じられる位置との間で筒状部材が移動する際には、第２切欠き内を通って移動するよう構成した空気清浄機によれば、前項で述べた効果に加えて、筒状部材を吸入通路の壁板に取り付ける際には、先ずロック用突起を第１切欠きに合わせて筒状部材の先端部を挿入穴に挿入し、案内用突起の先端が吸入通路の壁板の表面に当接して止まったところで筒状部材を回転させればロック用突起は扇形切欠き内に入り、ロック用突起が扇形切欠きの円周方向他端に達して止まったところで筒状部材は開口が開いた位置と閉じられる位置との間で移動することが可能になる。このように筒状部材を取り付ける際の動きの切り換え位置は、ロック用突起および案内用突起が壁板の各部分に当接することにより定められるので筒状部材を取り付けるための操作は容易であり、同様に取り外しの際の操作も容易となる。また開口を開閉する筒状部材の移動の際は案内用突起が第２切欠き内に入って案内されるので、開口の開閉操作は円滑に行われる。
【００１５】
空気清浄機は建物などの壁の内側に取り付け、防虫ネットを設けた筒状部材は、壁により形成される室内から取り出せるように吸入通路に着脱可能に取り付けた空気清浄機によれば、筒状部材を室内から取り出すことにより筒状部材の清掃を容易に行うことができるので、空気清浄機のメンテナンス性を向上させることができる。
【００１６】
【発明の実施の形態】
以下に、図１〜図８に示す実施の形態により、本発明による空気清浄機の説明をする。先ず図１〜図３により空気清浄機の全体構造を説明し、次に主として図４〜図９により本発明の要部である防虫ネットの支持部材および吸入通路を開閉する換気切替弁の機能を備えた筒状部材およびこれに関連する部分の説明をする。
【００１７】
図１〜図３に示すように、この実施の形態の空気清浄機のケーシングＡ内には遠心ファン（ファン）２６が設けられ、ケーシングＡの２つの異なる位置に設けられた第１および第２の空気吸入口１２，２３から吸入した空気を遠心ファン２６に供給する第１および第２の吸入通路Ｃ１，Ｃ２と、遠心ファン２６から送り出される空気をケーシングＡの正面の両側部に設けた吹き出し口２１に導く２つの吐出通路Ｂが形成されている。第１の空気吸入口１２から吸入される外気を遠心ファン２６に導く第１吸入通路Ｃ１には、防虫ネットＮを支持するとともに外気の吸入を開閉する筒状部材３０が設けられ、２つの吸入通路Ｃ１，Ｃ２には遠心ファン２６の吸入側の直前となる位置に集塵フィルタ２７が設けられ、各吐出通路Ｂの末端部には脱臭フィルタ２８が設けられている。
【００１８】
図１〜図３に示すように、ケーシングＡは、何れも合成樹脂成形品であるケーシング本体１０と、その正面側に設けられる中間カバー１５と、この２部材１０，１５の正面側を覆う正面カバー２０を、分離可能に一体的に連結したものである。この実施の形態の使用状態では、図１は水平方向から見たケーシング本体１０の正面図であり、図２は図１の矢印２−２に示すように下から上に向かって見たケーシングＡ全体の断面図であるが、空気清浄機の全体的説明では便宜上、図２における上下を上下として説明する。
【００１９】
主として図１および図２に示すように、ケーシング本体１０は、上側が開いた横長の長方形の箱状で、内面の四辺の上下方向略中間部には、ほゞ一定幅の段部１０ａが形成されている。この段部１０ａより下側の内側には、ケーシング本体１０の底板から立ち上がる板状部分により、上下１対のスクロール１１ａ，１１ｂが点対称に形成されている。各スクロール１１ａ，１１ｂは、図１に示すように、遠心ファン２６の羽根車２６ａに最も接近したタング部１１ｃから羽根車２６ａの回転方向（矢印Ｒ参照）に沿って移動した場合、遠心ファン２６の羽根車２６ａの外周からの距離が次第に増大する形状であり、各スクロール１１ａの先端は段部１０ａより下側のケーシング本体１０の左右の側板に連結されている。スクロール１１ａ，１１ｂと反対側の延長部分１１ｄは、ケーシング本体１０の左右の側板と平行に延びて前後の側板に連結されている。
【００２０】
図１において左上部分となるスクロール１１ａと、段部１０ａより下側となるケーシング本体１０の２つの側板の間に形成される三角形の空間部の底板には、上向きの円筒状のフランジ１２ａが形成された第１の空気吸入口１２が設けられている。発泡ポリスチロール製の筒体２５は、その内面２５ａの下部の小径部を第１の空気吸入口１２のフランジ１２ａの外周に嵌合させて取り付けられ、筒体２５の上端面は段部１０ａとほゞ同じ高さとなっている。
【００２１】
中間カバー１５は、主として図２に示すように、途中に支持段部１７が形成された四角い中央凹部１６よりも外側となる周辺部が、ケーシング本体１０の段部１０ａとスクロール１１ａ，１１ｂの上面に当接して支持され、各外縁はケーシング本体１０の上縁の内面に係合されている。この四角い中央凹部１６の底面の中央には大きな丸い開口１６ａが形成され、この中央凹部１６には放射方向および円周方向の多数の支持桟を介して、円形の支持カバー１６ｂが開口１６ａと同心に支持されている。遠心ファン２６のモータ２６ｂはブラケット（図示省略）を介してこの支持カバー１６ｂに同心に取り付けられ、このモータ２６ｂのモータ軸の下端には、羽根車２６ａが取り付けられている。また中央凹部１６の底面より多少上側に位置する支持段部１７には、四角い板状の集塵フィルタ２７が載置されてクリップ（図示省略）などにより離脱可能に係止されている。
【００２２】
正面カバー２０は、図２および図３に示すように、ケーシング本体１０および中間カバー１５の上側全体を覆うもので、その両側（右上と左下）には、多数のスリットよりなる長方形の吹き出し口２１が形成されている。正面カバー２０の内面から下方に突出する仕切板２２は、集塵フィルタ２７の上面に当接して正面カバー２０と集塵フィルタ２７の間の空間を第１吸入通路Ｃ１の一部と第２吸入通路Ｃ２に分離している。正面カバー２０には仕切板２２の右側となる中央部分に、第２吸入通路Ｃ２に連通される多数のスリットよりなる第２の空気吸入口２３が形成され、この第２の空気吸入口２３から吸入される室内の空気は第２吸入通路Ｃ２から集塵フィルタ２７の一部を通って遠心ファン２６に導入される。
【００２３】
中間カバー１５には、図１において左上および右下となる位置に、ケーシング本体１０の段部１０ａおよびスクロール１１の上面に当接される棚板１９が形成されている（左上のものを図２に示す）。図１において左上となる中間カバー１５の棚板１９には、図２に示すように、第１の空気吸入口１２と対応する位置に、下向きのフランジ１９ｂが形成された円形の挿入穴１９ａが設けられ、フランジ１９ｂの外周には筒体２５の内面２５ａの上部が嵌合されている。この筒体２５の内部空間と、左側の棚板１９と正面カバー２０の間の空間と、仕切板２２により分離された正面カバー２０と集塵フィルタ２７の間の空間の一方が第１吸入通路Ｃ１を形成し、第１の空気吸入口１２から吸入される外気は第１吸入通路Ｃ１から集塵フィルタ２７の一部を通って遠心ファン２６に導入される。棚板１９はこの第１吸入通路Ｃ１の壁板の一部を構成している。また図１において右下となる中間カバー１５の棚板１９上には、この空気清浄機の作動を制御する制御装置２９が設けられている。
【００２４】
中間カバー１５には、図１にも二点鎖線で示すように、正面カバー２０の両側に形成される各吹き出し口２１と対応する位置に長方形の吐出口１８が形成されている。中間カバー１５をケーシング本体１０に取り付けた状態では、両スクロール１１ａ，１１ｂの間の空間の上側の大部分は中央凹部１６の下面と棚板１９により閉じられ、残る部分は吐出口１８に連通される。このスクロール１１ａ，１１ｂおよび吐出口１８により、遠心ファン２６の両側に設けられて羽根車２６ａから送り出される空気を各吹き出し口２１に導く１対の吐出通路Ｂが形成される。各吐出通路Ｂの末端部には、脱臭および有害ガスの除去を行う脱臭フィルタ２８が設けられている。この実施の形態の脱臭フィルタ２８は光触媒を用いたもので、触媒と活性炭とバインダを混入したものを、互いに平行に配置された小さい通路幅を有する多数のセル通路を形成するように押出成形してから所定の厚さに切断したハニカム構造のものである。各脱臭フィルタ２８よりも手前側（遠心ファン２６側）となる吐出通路Ｂ内には、この脱臭フィルタ２８を活性化させるための紫外線照射器２８ａが設けられている。
【００２５】
次に図２および図４〜図９により、防虫ネットが設けられるとともに第１吸入通路Ｃ１を開閉する換気切替弁の機能を備えた筒状部材３０の説明をする。中間カバー１５の壁板（棚板）１９に形成された丸い挿入穴１９ａには、側面に開口３３を設けた丸い円筒部３１と、その正面カバー２０側となる一端を閉じる天板部３２を有する筒状部材３０が摺動可能に挿入されている。この実施の形態の開口３３は長手方向のある範囲の全周にわたり形成され、筒状部材３０と一体成形されて防虫ネットＮを形成する格子状の多数の桟Ｎａ，Ｎｂが全面に設けられている。防虫ネットＮは、この桟Ｎａ，Ｎｂを粗めにして内側に別体の防虫ネットを張ったものとしてもよい。この筒状部材３０は、円筒部３１が第１の空気吸入口１２側、天板部３２が遠心ファン２６側となるように壁板１９に取り付けられて、第１吸入通路Ｃ１の一部を形成するものである。
【００２６】
円筒部３１の外側面には、図４〜図７に示すように、軸線方向において開口３３より僅か外側となる各位置に、環状の第１および第２小突起３１ａ，３１ｂが形成されている。さらに円筒部３１の外側面には、第２小突起３１ｂより先端側に１対のロック用突起３４が１８０度の間隔をおいて形成され、また第２小突起３１ｂと天板部３２の外縁部３２ａの間にわたり細長い案内用突起３５が１８０度の間隔をおいて形成されている。この両突起３４，３５は何れも円筒部３１の軸線方向に延びる板状で、軸線方向から見て角度αだけ異なる角度位置に設けられている（図４および図５参照）。また天板部３２の表側には円筒部３１を着脱操作するためのつまみ３０ａが設けられている。この円筒部３１は合成樹脂による一体成型品である。
【００２７】
また壁板１９の挿入穴１９ａの内面には、壁板１９の表面からフランジ１９ｂの全長にわたり、各ロック用突起３４が通過可能な寸法の１対の第１切欠き３６が１８０度の間隔で、また各案内用突起３５が通過可能な１対の第２切欠き３８が１８０度の間隔で設けられている。この両切欠き３６，３８は、軸線方向から見て角度α／２だけ異なる角度位置に設けられている。また図４〜図８に示すように、挿入穴１９ａの内面には、壁板１９の表面からこの壁板１９の肉厚だけ入った位置に、各第１切欠き３６から始まって第２切欠き３８と反対側に向かう円周方向に沿った１対の扇形切欠き３７が形成されている。換言すれば、各第１切欠き３６は各扇形切欠き３７の円周方向一端から壁板１９の表面に達するよう形成したものである。この扇形切欠き３７はフランジ１９ｂの円周方向の一部を除去することにより形成されるもので、その円周方向の長さは後述するように第１切欠き３６を通って扇形切欠き３７内に入ったロック用突起３４が、角度α／２だけ回動可能な値である。
【００２８】
フランジ１９ｂの外周に嵌合される筒体２５の内面には、各扇形切欠き３７に対応して、扇形切欠き３７内に入った各ロック用突起３４の前述した回動を許容する１対の扇形逃げ溝３７ａが形成されている。また筒体２５の内面には、第１切欠き３６に対し反対側となる各扇形逃げ溝３７ａの円周方向の他端部から、第１の空気吸入口１２側に向かって軸線方向に延びる１対の細長い第１逃げ溝３９が形成され、さらに各第２切欠き３８と対応する角度位置に、案内用突起３５よりも長い軸線方向に延びる１対の第２逃げ溝３８ａが形成されている。
【００２９】
筒状部材３０を第１吸入通路Ｃ１を形成する壁板１９に取り付ける際には、つまみ３０ａにより筒状部材３０を保持して、先ず各ロック用突起３４を各第１切欠き３６に合わせて筒状部材３０の先端部を挿入穴１９ａに挿入すれば、各案内用突起３５の先端が壁板１９の表面に当接して止まる（図４、図６および図８参照）。その状態で図４の矢印Ｓに示すように筒状部材３０を回転させれば、ロック用突起３４は扇形切欠き３７内に入り、角度α／２だけ回動したところでロック用突起３４が扇形切欠き３７の円周方向他端に達して止まる（図５および図８の二点鎖線参照）。この状態では各ロック用突起３４は各第１逃げ溝３９と整列され、各案内用突起３５は各第２切欠き３８および第２逃げ溝３８ａと整列されるので、筒状部材３０は開口３３が挿入穴１９ａより外にあって開いた位置（図７の二点鎖線参照）と挿入穴１９ａ内に入って閉じられる位置（図７の実線参照）との間で移動することが可能になる。
【００３０】
このように筒状部材３０を取り付ける際における軸線方向と回動方向の動きを切り換える位置は、ロック用突起３４や案内用突起３５が壁板１９の表面や扇形切欠き３７の円周方向他端などに当接することにより定められるので、筒状部材３０を取り付けるための操作は容易である。同様に取り外しの際の動きを切り換える位置は、ロック用突起３４が扇形切欠き３７の軸線方向内端面（すなわち壁板１９の裏面）や第１切欠き３６が接続される扇形切欠き３７の円周方向一端などに当接することにより定められるので、筒状部材３０を取り外す際の操作も容易である。
【００３１】
ロック用突起３４と案内用突起３５がそれぞれ第１逃げ溝３９および第２切欠き３８と整列されて、筒状部材３０が開口３３が開いた位置と閉じられた位置の間で移動される状態では、案内用突起３５が第２切欠き３８内に入って案内されるので、開口３３の開閉操作は円滑に行われる。各小突起３１ａ，３１ｂは弾性変形することにより挿入穴１９ａの内側を通過可能なものであり、筒状部材３０を最も引き出した状態および最も押し込んだ位置では挿入穴１９ａの外端縁または内端縁に弾性的に係合して、筒状部材３０の不用意な移動を拘束するものである。筒状部材３０を最も引き出して開口３３を完全に開いた状態ではロック用突起３４が壁板１９の裏面に当たり、筒状部材３０がそれ以上挿入穴１９ａから抜け出ることはないので、開口３３を開く操作の際に筒状部材３０が不用意に外れたりするおそれはない。筒状部材３０を最も押し込んだ状態では、天板部３２の外縁部３２ａが壁板１９の表面に当接し、または円筒部３１の先端がフランジ１２ａの先端に当接して、筒状部材３０は停止される。
【００３２】
この空気清浄機は、図２に示すように、住宅などの建物の壁４０の内側に半分埋め込むようにケーシング本体１０を取り付けて使用するものである。壁４０の内壁板４０ａには、空気清浄機のケーシング本体１０の段部１０ａより下側の部分を挿入可能な取付開口４０ｃを形成し、ケーシング本体１０は段部１０ａの外面が内壁板４０ａの表面に当接するようにして内壁板４０ａに取り付けられる。外壁板４０ｂには第１の空気吸入口１２と対応する位置に穴４０ｄが形成され、この穴４０ｄを通して外側から挿入された吸入筒４１の先端が第１の空気吸入口１２に連結されて、第１吸入通路Ｃ１は外気に連通される。防虫ネットＮを設けた筒状部材３０は、壁４０により形成される部屋の室内から取り出せるように第１吸入通路Ｃ１に着脱可能に取り付けられている。
【００３３】
空気清浄機の換気運転は筒状部材３０の開口３３を開いた状態で行う。この状態では、第１吸入通路Ｃ１を介してケーシング本体１０の背面の第１の空気吸入口１２から吸入された外気と、第２吸入通路Ｃ２を介して正面カバー２０の中央部に形成された第２の空気吸入口２３から吸入された室内空気は、何れも集塵フィルタ２７から吸入口を通って遠心ファン２６に吸入される。遠心ファン２６から吐出される空気はスクロール１１ａ，１１ｂにより案内されて、両側の吐出通路Ｂ内に入り、脱臭フィルタ２８を通って、正面カバー２０の両側部に形成された吹き出し口２１から正面に向けて吹き出される。
【００３４】
この換気運転では、吸入筒４１および第１の空気吸入口１２を通して第１吸入通路Ｃ１内に吸入される空気とともに侵入しようとする蠅や蚊などの虫は、筒状部材３０内に入ったところで防虫ネットＮによりそれより先への侵入が阻止され、そのような虫やその死骸などは大部分が筒状部材３０内に溜まる。従って筒状部材３０を取り外すことにより虫やその死骸などは大部分が同時に取り出され、ケーシングＡ内の第１吸入通路Ｃ１内に残ることはない。このように簡単な手間で虫やその死骸などを取り除くことができるので、取り除けなかった虫の死骸などによる不快な悪臭の発生を簡単に防止することができる。
【００３５】
循環運転は筒状部材３０の開口３３を閉じた状態で行い、この状態では第２吸入通路Ｃ２を介して正面カバー２０の中央部に形成された第２の空気吸入口２３から吸入された室内空気だけが集塵フィルタ２７を通って遠心ファン２６により吸入される。従って防虫ネットＮは作用しなくなるが、その他の作用は換気運転の場合と同じである。
【００３６】
上述のように、この実施の形態によれば、防虫ネットＮを有する筒状部材３０を第１吸入通路Ｃ１に設けたので、防虫ネットＮにより通過が阻止された虫やその死骸などは大部分が筒状部材３０内に溜まる。従って虫やその死骸などは筒状部材３０を取り外すことにより大部分をこれと同時に取り出して取り除くことができ、第１吸入通路Ｃ１内に残ることはない。これにより残った虫の死骸などによる不快な悪臭の発生を防止することができる。
【００３７】
またこの実施の形態では、筒状部材３０の側面に第１吸入通路Ｃ１を通る空気が通過する開口３３を形成してこの開口３３に防虫ネットＮを設け、この開口３３が開閉されるように第１吸入通路Ｃ１の壁板１９に形成した挿入穴１９ａに筒状部材３０を摺動可能に嵌合しているので、筒状部材３０は防虫ネットＮの支持部材と第１吸入通路Ｃ１を開閉する換気切替弁の２つの機能を兼ね備えものとなる。このようにこの実施の形態の空気清浄機は、防虫ネットと換気切替弁の２つの機能を備えているにもかかわらず部品点数が少なくなり、製造コストを低下させることができる。
【００３８】
またこの実施の形態では、筒状部材３０は先端部の外側面にロック用突起３４を突出して形成した円筒状とし、挿入穴１９ａの内面には円周方向に沿った扇形切欠き３７を形成するとともにこの扇形切欠き３７の円周方向一端から吸入通路の壁板１９の表面に達する第１切欠き３６を形成し、筒状部材３０は、ロック用突起３４が第１切欠き３６を通って扇形切欠き３７内に入り円周方向に移動して扇形切欠き３７の円周方向他端に達した角度位置において、開口３３が挿入穴１９ａより外にあって開いた位置と挿入穴１９ａ内に入って閉じられる位置との間で移動可能としている。ロック用突起３４が扇形切欠き３７内を円周方向に移動して円周方向他端に達した角度位置では、筒状部材３０は開口３３が開いた位置と閉じられた位置の間で移動可能であるが、この角度位置には第１切欠き３６は設けられていないので開口３３を充分開いた状態ではロック用突起３４が壁板１９の裏面に当たり、筒状部材３０がそれ以上挿入穴１９ａから抜け出ることはなく、従って開口３３を開く操作の際に筒状部材３０が移動し過ぎて不用意に外れたりするおそれはない。
【００３９】
さらにこの実施の形態では、挿入穴１９ａの内面には第１切欠き３６と異なる角度位置に第２切欠き３８を形成するとともに筒状部材３０の外側面には軸線方向に沿って案内用突起３５を形成し、この案内用突起３５は、ロック用突起３４が第１切欠き３６を通って扇形切欠き３７内に入った状態では先端が吸入通路の壁板１９の表面に当接し、この状態からロック用突起３４が扇形切欠き３７内を円周方向に移動して扇形切欠き３７の円周方向他端に達した角度位置では第２切欠き３８と整列され、この状態で開口３３が開いた位置と閉じられる位置との間で筒状部材３０が移動する際には、第２切欠き３８内を通って移動するよう構成している。このようにすれば、筒状部材３０を第１吸入通路Ｃ１の壁板１９に取り付ける際には、先ずロック用突起３４を第１切欠き３６に合わせて筒状部材３０の先端部を挿入穴１９ａに挿入し、案内用突起３５の先端が吸入通路Ｃ１，Ｃ２の壁板１９の表面に当接して止まったところで筒状部材３０を回転させればロック用突起３４は扇形切欠き３７内に入り、ロック用突起３４が扇形切欠き３７の円周方向他端に達して止まったところで筒状部材３０は開口３３が開いた位置と閉じられる位置との間で移動することが可能になる。このように筒状部材３０を取り付ける際における軸線方向および回動方向の動きの切り換え位置は、ロック用突起３４および案内用突起３５が壁板１９の各部分に当接することにより定められるので筒状部材３０を取り付けるための操作は容易であり、同様に取り外しのための操作も容易となる。また開口３３を開閉する筒状部材３０の移動の際は案内用突起３５が第２切欠き３８内に入って案内されるので、開口３３の開閉操作は円滑に行われる。
【００４０】
またこの実施の形態では、第１吸入通路Ｃ１はケーシング本体１０の背面に形成した第１の空気吸入口１２から外気を吸入し、第２吸入通路Ｃ２はケーシング本体１０の側面に形成した第２の空気吸入口２３から室内空気を吸入して、それぞれ遠心ファン２６に供給するようにし、第１吸入通路Ｃ１に設けた筒状部材３０を摺動して開口３３を開閉しまたは開度を変えることにより、各空気吸入口１２，２３から吸入される外気と室内空気の吸入量の比率を変更するようにしている。筒状部材３０の開口３３を閉じれば第１の空気吸入口１２から吸入される外気の量は０となり、開口３３を全開すれば第２の空気吸入口２３から吸入される室内空気の量に対する第１の空気吸入口１２から吸入される外気の量の比率は最大となる。筒状部材３０の開口３３を全開した場合の室内空気と外気の比率は、正面カバー２０に設ける仕切板２２の位置を異ならせて両吸入通路Ｃ１，Ｃ２の流路抵抗の比率を変えることにより変化させることができる。しかしながら本発明の空気清浄機は、第２の空気吸入口２３および第２吸入通路Ｃ２を省略し、全ての空気を第１の空気吸入口１２および第１吸入通路Ｃ１を介して室外から吸入するようにして実施することも可能である。
【００４１】
またこの実施の形態では、空気清浄機のケーシング本体１０を建物などの壁４０の内側に取り付け、防虫ネットＮを設けた筒状部材３０は、壁４０により形成される室内から取り出せるように第１吸入通路Ｃ１に着脱可能に取り付けたので、筒状部材３０を室内から取り出すことによりその清掃を容易に行うことができ、これにより空気清浄機のメンテナンス性を向上させることができる。
【００４２】
なお上述した実施の形態では、遠心ファン２６を使用した場合の例につき説明したが、本発明は遠心ファンの代わりに軸流ファンを使用して実施することも可能であり、その場合は吐出通路は図示のものと異なる形状となるが、吸入通路の形状は実質的に変わることはない。また上述した実施の形態では、円筒状の筒状部材３０を使用した例につき説明したが、本発明はこれに限られるものではなく、四角や六角などの多角形あるいは異形断面形状の筒状部材を使用して実施することも可能である。
【図面の簡単な説明】
【図１】本発明による空気清浄機の一実施形態のケーシング本体を示す正面図である。
【図２】上述した実施形態の組立状態における、図１の２−２線に沿った全体断面図である。
【図３】上述した実施形態の組立状態における全体斜視図である。
【図４】上述した実施形態の筒状部材およびその周辺部の取り付け途中における部分拡大正面図である。
【図５】図４に示す筒状部材およびその周辺部の取り付け状態における部分拡大正面図である。
【図６】図４の６−６断面図である。
【図７】図５の７−７断面図である。
【図８】図６の８−８断面図である。
【符号の説明】
１２…空気吸入口（第１の空気吸入口）、１９…壁板、１９ａ…挿入穴、２１…吹き出し口、２６…ファン（遠心ファン）、２７…フィルタ、３０…筒状部材、３３…開口、３４…ロック用突起、３５…案内用突起、３６…第１切欠き、３７…扇形切欠き、３８…第２切欠き、Ａ…ケーシング、Ｂ…吐出通路、Ｃ１…吸入通路（第１吸入通路）、Ｎ…防虫ネット。
【図１】
2004162955.tif 000003
【図２】
2004162955.tif 000004
【図３】
2004162955.tif 000005
【図４】
2004162955.tif 000006
【図５】
2004162955.tif 000007
【図６】
2004162955.tif 000008
【図７】
2004162955.tif 000009
【図８】
2004162955.tif 000010